(57)【要約】【課題】扉の開閉に連動して、この扉に焼き網を衝突させないように大きく出し入れすることができるオーブントースターを提供すること。【解決手段】前部に開口部３が設けられると共に内部にヒータ４，５、焼き網１５、この焼き網１５を引き込み方向に付勢する付勢体としての伸長型コイルバネ２１が設けられる筐体２と、枢支部としての軸受部９が下端近傍に設けられると共に開閉に連動して前記焼き網１５を前後に移動させる扉８とを有するオーブントースター１であって、前記扉８の上部に第一リンク部材１３の一端を枢支し、この第一リンク部材１３の他端に第二リンク部材１４の一端を枢支すると共に、この第二リンク部材１４の他端を前記焼き網１５に対して所定の角度範囲で前方に揺動可能に枢支したことで、前記扉８に対して前記焼き網１５が遅れて引き出されるので、前記焼き網１５の前端が前記扉８の内面に衝突しないようにすることができる。【選択図】図３
2008281313.tif 000002
【特許請求の範囲】
【請求項１】
前部に開口部を有する筐体と、その下端部が枢支されると共にこの枢支部を中心に枢動することで前記開口部を開閉する扉と、前記筐体内に設けられるヒータと、前記筐体内に設けられると共に前記扉の開閉に連動して前後方向に移動する焼き網と、この焼き網を引き込み方向に付勢する付勢体とを有するオーブントースターにおいて、
前記扉の上部に第一リンク部材の一端を枢支し、この第一リンク部材の他端に第二リンク部材の一端を枢支すると共に、この第二リンク部材の他端を前記焼き網に対して所定の角度範囲内で前方に揺動可能に枢支したことを特徴とするオーブントースター。
【請求項２】
前記第一リンク部材を、その中間部が下方に突出するように屈曲または湾曲させたことを特徴とする請求項１記載のオーブントースター。
【請求項３】
前記第二リンク部材を後方に揺動させるように付勢する第二付勢体を設けると共に、前記付勢体のバネ定数を前記第二付勢体のバネ定数よりも大きくしたことを特徴とする請求項１記載のオーブントースター。
【発明の詳細な説明】
【技術分野】
【０００１】
本発明は、オーブントースターに関するものであり、特に、扉を開閉することで焼き網が連動して出し入れされるオーブントースターに関するものである。
【背景技術】
【０００２】
従来、この種のオーブントースターとしては、本体（本願発明の筐体に相当する）の調理室の前面開口部に、この前面開口部の下端部を枢支点として開閉する開閉扉を備え、前記調理室内に電気ヒータを備え、前記開閉扉の開操作と連動して前方に移動して前記前面開口部から突出する焼き網を備えたオーブントースターが知られている（例えば、特許文献１参照。）。このようなオーブントースターにおいては、前記焼き網は、その先端部が前記開閉扉の内側に設けられた係止片に引っ掛けられている。そして、このようなオーブントースターでは、前記開閉扉を開くことで、この開閉扉の内側に設けられた前記係止片も回動することになり、この係止片に引っ掛けられた前記焼き網も引き出されることになる。即ち、この例では、前記開閉扉を開くことで、前記焼き網は図４に示される位置から図５に示される位置に移動することになると共に、前記開閉扉を閉じることで、前記焼き網は図５に示される位置から図４に示される位置に移動することになる。また、調理庫本体（本願発明の筐体に相当する）の前面開口部の下端に弧回動自在に枢着されてこの本体開口部を開閉する扉体を備えた加熱調理器であって、本体内側壁に水平状態で設置された案内溝レールと、この案内溝レールに摺動可能に保持された支持部材と、この支持部材に後端側が固定された被調理物載置台（本願発明の焼き網に相当する）とを有し、前記載置台の前端部と前記支持部材に固定された後端部との距離を前記扉体の枢着部と前記扉体の上端部との距離とほぼ等しくなるように形成し、前記支持部材と扉体上端部とを直接連結するアームを設けた加熱調理器も知られている（例えば、特許文献２参照。）。そして、このような加熱調理器では、前記アームが連結された前記扉体の上端部と前記本体開口部との間の水平距離が前記案内溝レールに摺動される前記支持部材の摺動距離とほぼ等しくなるように設定されており、前記扉体を開ききった状態で、この扉体の弧回動軌跡の半径に相当する長さ分の前記支持部材が引き出されるように構成されている。
【特許文献１】特開２００４−１９０９９３号公報
【特許文献２】実公昭６１−２２１６７号公報
【発明の開示】
【発明が解決しようとする課題】
【０００３】
しかしながら、前者のようなオーブントースターにおいては、前記扉を開いた際の前記焼き網の引き出し量は、前記扉の枢軸から前記係止片の前記焼き網を引っ掛ける部分までの距離によって規定されるので、図５に示すように、前記引き出し量は比較的小さい。このため、前記扉を開いて前記焼き網上の被調理物を取り出す際に、この被調理物もあまり引き出されないので、使用者の手が前記本体に触れて火傷してしまう可能性が高かった。一方、後者のようなオーブントースターにおいては、前記被調理物載置台が前記本体開口部から大きく引き出されるので、被調理物を取り出す際に使用者の手が前記本体に触れる可能性を低くすることができる。しかしながら、このような構造では、前記扉を開くことで前記被調理物載置台が大きく引き出されることになるので、開扉時に前記被調理物載置台が前記扉に衝突してしまう虞があった。これを回避するためには、閉扉時における前記被調理物載置台の前端と前記扉の内面との間隔を広くする必要があるが、このようにした場合、前記被調理物載置台の奥行き方向の寸法が短くなってしまうという問題があった。この問題を回避するために、前記被調理物載置台の後端を長くすることで、この被調理物載置台の奥行き方向の寸法を同じに保つことができるが、この場合、前記調理庫本体の奥行き寸法が大きくなってしまうという新たな問題が生ずる。
【０００４】
本発明は以上の問題点を解決し、扉の開閉に連動して、焼き網を前記扉に衝突させないように大きく出し入れすることができるオーブントースターを提供することを目的とする。
【課題を解決するための手段】
【０００５】
本発明の請求項１に記載のオーブントースターは、前部に開口部を有する筐体と、その下端部が枢支されると共にこの枢支部を中心に枢動することで前記開口部を開閉する扉と、前記筐体内に設けられるヒータと、前記筐体内に設けられると共に前記扉の開閉に連動して前後方向に移動する焼き網と、この焼き網を引き込み方向に付勢する付勢体とを有するオーブントースターにおいて、前記扉の上部に第一リンク部材の一端を枢支し、この第一リンク部材の他端に第二リンク部材の一端を枢支すると共に、この第二リンク部材の他端を前記焼き網に対して所定の角度範囲内で前方に揺動可能に枢支したものである。
【０００６】
また、本発明の請求項２に記載のオーブントースターは、請求項１において、前記第一リンク部材を、その中間部が下方に突出するように屈曲または湾曲させたものである。
【０００７】
更に、本発明の請求項３に記載のオーブントースターは、請求項１において、前記第二リンク部材を後方に揺動させるように付勢する第二付勢体を設けると共に、前記付勢体のバネ定数を前記第二付勢体のバネ定数よりも大きくしたものである。
【発明の効果】
【０００８】
本発明の請求項１に記載のオーブントースターは、以上のように構成することにより、開扉の初期段階では、前記扉の動きに連動して前記第一及び第二リンク部材が引かれることになるが、前記付勢体によって前記焼き網が後方に引かれるので、前記第二リンク部材が前記焼き網に対して所定の角度範囲内で揺動するものの、前記焼き網が動かない。そして、更に前記扉を開くと、前記第二リンク部材が前方に所定の角度傾斜した状態で、前記第一リンク部材によって引かれるので、前記第二リンク部材を枢支している前記焼き網も前記第一リンク部材に引かれることで、前記筐体から引き出される。そして、前記枢支部を前記扉の下端部に設けると共に前記第一リンク部材の一端を前記扉の上部に枢支することで、前記第一リンク部材を前記扉の開閉に伴って大きく引き出し、これによって前記焼き網を大きく引き出すことができるようにしたとしても、前述したように、開扉の初期段階では前記第二リンク部材が揺動することで前記焼き網が動かないので、扉を開く動きに対して前記焼き網が遅れて引き出されることになるので、前記焼き網の前端と前記扉の内面との距離を大きくして前記焼き網の前端が前記扉の内面に衝突しないようにすることができる。そして、このように前記扉に前記焼き網が衝突しないようにできることで、前記焼き網を大きく引き出す構造が実現できるので、使用者が前記ヒータによって高温になった前記筐体に触れて火傷する可能性を低くすることができる。
【０００９】
また、前記第一リンク部材を、その中間部が下方に突出するように屈曲または湾曲させたことで、前記扉を開いて前記焼き網を引き出した際に、前記第一リンク部材が邪魔にならないようにして、火傷の可能性をより低くすることができるばかりでなく、前記第一リンク部材が前記筐体内の上部に位置するヒータに接触しにくくすることができるので、前記第一リンク部材の一端を前記扉のより高い位置に枢支することができ、これによって、前記焼き網をより大きく引き出すことができる。
【００１０】
更に、前記第二リンク部材を後方に揺動させるように付勢する第二付勢体を設けると共に、前記付勢体のバネ定数を前記第二付勢体のバネ定数よりも大きくしたことで、開扉の際には、前記焼き網が前方に引き出される前に、前記第二リンク部材が前方に揺動すると共に、閉扉の際には、前記第二付勢体の付勢力によって前記第二リンク部材を後方に揺動させることで、この第二リンク部材に枢支された前記第一リンク部材、ひいてはこの第一リンク部材に枢支された前記扉を閉じる方向に付勢することができる。
【発明を実施するための最良の形態】
【００１１】
以下、本発明の実施形態について、図１乃至図３に基づいて説明する。なお、本実施形態において、各図の左側が前、右側が後である。１はオーブントースターである。このオーブントースター１を構成する筐体２は、金属板等を折り曲げて箱状に構成されており、その前部に開口部３が設けられている。そして、前記筐体２の内部には、上ヒータ４及び下ヒータ５が左右の内側壁２Ａ間に渡されるように設けられている。また、前記筐体２の左右の内側壁２Ａには、ガイド６が前後方向に且つほぼ水平に延びるように形成されている。なお、このガイド６は、前記上ヒータ４と下ヒータ５の中間よりもやや下方に形成されている。また、前記筐体２の下部には、複数の支持脚７が設けられている。
【００１２】
そして、前記筐体２の開口部３には、扉８が取り付けられている。この扉８は、その下端近傍に軸受部９が設けられていると共に、この軸受部９が前記筐体２側に設けられた枢軸１０によって枢支されている。また、前記扉８の上部前側には、把持部１１が設けられている。また、前記扉８の上部後側には、腕部１２が設けられている。なお、この腕部１２は、前記扉８に対して固定されている。そして、前記腕部１２の先端部には、第一リンク部材１３の一端が枢支されていると共に、この第一リンク部材１３の他端には、第二リンク部材１４の一端が枢支されている。また、この第二リンク部材１４の他端は、焼き網１５の後部に枢支されている。更に、この焼き網１５は、前記ガイド６によって案内されて前後方向に移動可能となるように、前記ガイド６に取り付けられている。このように、前記扉８と焼き網１５とが、前記腕部１２、第一リンク部材１３、及び第二リンク部材１４によって連結されていると共に、前記焼き網１５が前記ガイド６に案内されて前後方向に移動可能に構成されていることで、前記扉８の動きに連動して前記焼き網１５が前後方向に移動可能となっている。なお、前記腕部１２と第一リンク部材１３を枢支する枢軸１６は、その軸方向が左右方向である。また、前記第一リンク部材１３と第二リンク部材１４を枢支する枢軸１７も、その軸方向が左右方向である。更に、前記第二リンク部材１４を前記焼き網１５に枢支する枢軸１８も、その軸方向が左右方向である。なお、前記第一リンク部材１３は、前記上ヒータ４との間隔を大きくするために、その中間部が下方に凸となるように屈曲して形成されている。このため、前記第一リンク部材１３は、前記上ヒータ４に接触しにくくなっている。また、前記第二リンク部材１４は、前記焼き網１５に対して揺動角度が制限されており、この揺動角度は、本実施形態では約３０度である。更に、前記第二リンク部材１４は、前記扉８が閉じられた状態においてほぼ垂直になっているので、前記第二リンク部材１４が最も前側に揺動した状態では、図２及び図３に示すように、前方に傾く。また、前記焼き網１５には掛部１９が形成されており、この掛部１９と前記筐体２内に形成された掛部２０との間に第一付勢体としての伸長型コイルバネ２１が懸架されている。このように、前記焼き網１５の掛部１９と前記筐体２の掛部２０との間に伸長型コイルバネ２１が懸架されていることで、前記焼き網１５はこの焼き網１５を庫内側に引き込む方向に常時付勢されている。また、前記焼き網１５と第二リンク部材１４の間には、この第二リンク部材１４を後方に回動させるように付勢する第二付勢体としての捻りコイルバネ２２が設けられている。そして、前記伸長型コイルバネ２１のバネ定数は、前記捻りコイルバネ２２のバネ定数よりも大きい。
【００１３】
次に、本実施形態の作用について説明する。なお、前記各ヒータ４，５を用いて前記焼き網１５に載せられた食品を調理することに関する部分については公知であるので、その説明を省略する。まず使用者は、前記オーブントースター１内に食品を収容するために、或いは前記オーブントースター１内の食品を取り出すために、前記扉８を開く。この際、使用者は前記把持部１１を把持し、前方に引く。すると、前記扉８は、前記軸受部９を中心に枢動することになる。
【００１４】
そして、前記扉８が枢動すると、この扉８の腕部１２に枢支された前記第一リンク部材１３が、前記腕部１２に前記枢軸１６を中心に揺動しながら前方に引かれると共に、前記第一リンク部材１３に枢支された前記第二リンク部材１４も、前記第一リンク部材１３に前記枢軸１７を中心に揺動しながら前方に引かれる。この時、前述したように、前記伸長型コイルバネ２１のバネ定数が前記捻りコイルバネ２２のバネ定数よりも大きいので、前記枢軸１８を中心に前記第二リンク部材１４を後方に揺動させて起こそうとする前記捻りコイルバネ２２の付勢力よりも、前記ガイド６に沿って前記焼き網１５を後方に引き込もうとする前記伸長型コイルバネ２１の付勢力の方が強い。従って、前記第二リンク部材１４が枢支された前記焼き網１５は、前記伸長型コイルバネ２１によって後方に引かれることで、前方への移動が妨げられると共に、前記第一リンク部材１３によって前方に引かれた前記第二リンク部材１４は、前記枢軸１７によって枢支された上端側が前記捻りコイルバネ２２の付勢力に抗して前方に動くことで、前記枢軸１８を中心に前方に揺動する。即ち、前記扉８を開く初期段階、即ち図１の状態から図２の状態までの過程では、前記扉８を開いても、この扉８に引かれて前記第一リンク部材１３及び第二リンク部材１４は動くものの、前記焼き網１５は動かない。
【００１５】
そして、前記第二リンク部材１４の揺動範囲が３０度に制限されているため、前記第二リンク部材１４が直立した図１の状態から、前方に３０度傾斜した図２の状態まで揺動すると、前記第二リンク部材１４はそれ以上前方に揺動しなくなる。そして更に、前記扉８を開くと、前記第一リンク部材１３及び第二リンク部材１４によって引かれることで、この第二リンク部材１４を枢支する前記焼き網１５が前記ガイド６に案内されて、前記伸長型コイルバネ２１の付勢力に抗して前方に移動することになる。なお、この際、前記第二リンク部材１４は、初期状態から前方に３０度傾斜した姿勢を保ったままで、前記焼き網１５を前方に引くことになる。即ち、前記焼き網１５は、前記扉８の枢動に対してやや遅れて動き始めることになる。そして、前述したように、前記扉８の枢動中心である前記軸受部９が前記扉８の下端近傍に設けられていると共に、前記第一リンク部材１３を枢支する前記腕部１２が前記扉８の上部に設けられていることによって、前記扉８を開くと、前記腕部１２の先端部は大きく移動することになる。これによって、この腕部１２の先端部に前記枢軸１６によって枢支されている前記第一リンク部材１３、この第一リンク部材１３に前記枢軸１７によって枢支されている前記第二リンク部材、更には、この第二リンク部材１４を前記枢軸１８によって枢支する前記焼き網１５も、前方に大きく移動することになる。このように、前記焼き網１５が前記筐体２の開口部３から大きく引き出されることで、前記オーブントースター１内の食品を取り出す際に、前記各ヒータ４，５の発する熱によって高温になっている前記オーブントースター１の筐体２に、使用者の手が触れて火傷してしまう可能性を低くすることができる。しかしながら、このように前記焼き網１５が前方に大きく引き出されたとしても、前述したように、前記焼き網１５が前記扉８の枢動に対してやや遅れて動き始めるため、開扉動作中における前記焼き網１５の先端と前記扉８の内面との距離を大きくして、前記焼き網１５が前記扉８に衝突しないようにすることができる。また、大きく移動する前記腕部１２に引かれることで、前記第一リンク部材１３が前方に大きく引き出されて多く露出することになるが、前述したように、前記第二リンク部材１３が下方に凸となるように屈曲しているため、前記第一リンク部材１３が邪魔にならず、前記各ヒータ４，５の発する熱によって高温になっている前記第一リンク部材１３に使用者の手が触れにくくして、火傷の可能性をより低くすることができる。また、前記焼き網１５に食品を載せる場合であっても、前記第一リンク部材１３が邪魔にならないので、食品を前記焼き網１５に置きやすくすることができる。
【００１６】
次に、前記焼き網１５に載せた食品を前記オーブントースター１内に収容するために、或いは食品を取り出した後で前記焼き網１５を前記オーブントースター１内に収容するために、前記扉８を閉じる。この際、使用者は前記把持部１１を把持し、上方に持ち上げる。すると、前記扉８は、前記軸受部９を中心に枢動することになる。
【００１７】
そして、前記扉８が枢動すると、この扉８の腕部１２に枢支された前記第一リンク部材１３が、前記腕部１２に前記枢軸１６を中心に揺動しながら前記筐体２に押し込まれると共に、前記第一リンク部材１３の他端、即ちこの他端に枢支された前記第二リンク部材１４の一端も、前記枢軸１７を中心に揺動しながら前記筐体２に押し込まれることになる。この時、前述したように、前記伸長型コイルバネ２１のバネ定数が前記捻りコイルバネ２２のバネ定数よりも大きいので、前記枢軸１８を中心に前記第二リンク部材１４を後方に揺動させて起こそうとする前記捻りコイルバネ２２の付勢力よりも、前記ガイド６に沿って前記焼き網１５を後方に引き込もうとする前記伸長型コイルバネ２１の付勢力の方が強い。従って、前記第二リンク部材１４が枢支された前記焼き網１５は、前記伸長型コイルバネ２１によって後方に引き込まれると共に、前記第一リンク部材１３によって押された前記第二リンク部材１４は、前記捻りコイルバネ２２の付勢力に抗して、前記枢軸１７によって枢支された上端側が前記枢軸１８を中心に初期状態から前方に３０度傾斜した姿勢を保つ。即ち、図３の状態から図２の状態までの間で前記扉８を閉じる過程では、前記第一リンク部材１３の他端が後方へ移動した分、前記伸長型コイルバネ２１の付勢力によって、前記ガイド６に案内されて前記焼き網１５が後方に引き込まれる。そして、図２の状態において、前記焼き網１５は前記筐体２内における最奥部に至る。即ち、図２の状態において、前記焼き網１５はそれ以上後方に引き込まれない状態となる。この状態において、前記扉８は僅かに開いている。このように、前記扉８が前記焼き網１５の移動に対してやや遅れて閉じるため、前記焼き網１５が大きく移動したとしても、閉扉動作中における前記焼き網１５の先端と前記扉８の内面との距離を大きくして、前記焼き網１５が前記扉８に衝突しないようにすることができる。
【００１８】
そして更に、前記扉８を閉じると、前記焼き網１５がこれ以上後方に引き込まれないため、前記腕部１２及び第一リンク部材１３によって前記第二リンク部材１４が押されると共に、前記捻りコイルバネ２２によって前記第二リンク部材１４を起こす方向へ付勢力が働くことによって、前記第二リンク部材１４が後方に揺動することになる。そして、前記扉８を閉じた状態では、この扉８は、前記腕部１２、第一リンク部材１３、及び第二リンク部材１４を介して、前記捻りコイルバネ２２の付勢力によって前記扉８を閉じる方向に付勢されるので、前記扉８が閉じた状態において、この扉８が上方ほど後方となるように傾斜している、即ち前記扉８の自重によって前記筐体２の開口部３が塞がれるように付勢されていることと相まって、前記扉８が閉じた状態において、この扉８が不用意に開くことが抑制される。
【００１９】
以上のように本発明は、前部に開口部３が設けられると共に内部にヒータ４，５、焼き網１５、及び付勢体としての伸長型コイルバネ２１が設けられる筐体２と、この筐体２の開口部３の下部に設けられた枢軸１０に枢支される軸受部９が下端近傍に設けられた扉８とを有し、この扉８の開閉に連動して前記焼き網１５が前後方向に移動すると共に、前記伸長型コイルバネ２１によって前記焼き網１５が引き込み方向に付勢されるオーブントースター１であって、前記扉８の上部に第一リンク部材１３の一端を枢支し、この第一リンク部材１３の他端に第二リンク部材１４の一端を枢支すると共に、この第二リンク部材１４の他端を前記焼き網１５に対して所定の角度範囲内で前方に揺動可能に枢支したことで、開扉の初期段階では、前記第二リンク部材１４が前記焼き網１５に対して所定の角度範囲内で揺動するものの、前記焼き網１５が動かず、更に前記扉８を開くことで、前方に所定角度傾斜した状態の前記第二リンク部材１４、ひいてはこの第二リンク部材１４を枢支している前記焼き網１５が前記第一リンク部材１３によって引かれることで、前記扉８を開く動きに対して前記焼き網１５が遅れて引き出されることになるので、枢支部としての前記軸受部９を前記扉８の下端部に設けると共に前記第一リンク部材１３の一端を前記扉８の上部に枢支させることで、前記第一リンク部材１３、ひいては前記焼き網１５を前記扉８の開閉に伴って大きく引き出すことができるようにしたとしても、前記焼き網１５が前記扉８に対して遅れて引き出された分、前記焼き網１５の前端と前記扉８の内面との距離を大きくすることができるので、前記焼き網１５の前端が前記扉８の内面に衝突しないようにすることができる。
【００２０】
また、前記第一リンク部材１３を、その中間部が下方に突出するように屈曲または湾曲させたことで、前記扉８を開いた際に多く露出する前記第一リンク部材１３が邪魔にならないようにして、使用者が前記ヒータ４，５によって高温になった前記第一リンク部材１３に触れて火傷する可能性をより低くすることができるばかりでなく、前記第一リンク部材１３が前記筐体２内の上部に位置する前記ヒータ４に接触しにくくすることができるので、前記第一リンク部材１３の一端を前記扉８のより高い位置に枢支することができ、これによって、前記焼き網１５をより大きく引き出すことができる。
【００２１】
更に、前記第二リンク部材１４を後方に揺動させるように付勢する第二付勢体としての捻りコイルバネ２２を設けると共に、この捻りコイルバネ２２のバネ定数よりも前記伸長型コイルバネ２１のバネ定数を大きくしたことで、開扉の際には、前記焼き網１５が前方に引き出される前に、前記第二リンク部材１４が前方に揺動すると共に、閉扉の際には、前記捻りコイルバネ２２の付勢力によって前記第二リンク部材１４を後方に揺動させることで、この第二リンク部材１４に枢支された前記第一リンク部材１３、ひいてはこの第一リンク部材１３に枢支された前記扉８を閉じる方向に付勢することができる。
【００２２】
なお、本発明は以上の実施形態に限定されるものではなく、発明の要旨の範囲内で種々の変形実施が可能である。例えば、上記実施形態では、前記第一リンク部材は下方に屈曲させて構成したが、下方に湾曲させて構成してもよい。また、上記実施形態では、前記第二リンク部材を直立した状態から３０度の角度範囲で前方に揺動可能に構成したが、この角度範囲に限定されるものではない。
【図面の簡単な説明】
【００２３】
【図１】本発明の一実施形態を示すオーブントースターの扉が閉じた状態における断面図である。
【図２】同上、扉が僅かに開いた状態における断面図である。
【図３】同上、扉が完全に開いた状態における断面図である。
【図４】従来のオーブントースターの扉が閉じた状態における断面図である。
【図５】同上、扉が完全に開いた状態における断面図である。
【符号の説明】
【００２４】
１  オーブントースター
２  筐体
３  開口部
４  上ヒータ
５  下ヒータ
８  扉
９  軸受部（枢支部）
１３  第一リンク部材
１４  第二リンク部材
１５  焼き網
２１  伸長型コイルバネ（付勢体）
２２  捻りコイルバネ（第二付勢体）
【図１】
2008281313.tif 000003
【図２】
2008281313.tif 000004
【図３】
2008281313.tif 000005
【図４】
2008281313.tif 000006
【図５】
2008281313.tif 000007